(57)【要約】【課題】入力部材と出力部材が偏心している伝達装置に適用可能な、簡単な構成の定範囲伝達装置を提供すること。【解決手段】入力部材１０６に固着した入力端板１３４に、入力部材１０６の回転軸ｏ１´を中心とした円周上を移動する係合片１５８を設ける一方、出力部材１０８に固着した出力端板１６７には、出力部材１０８の回転軸ｏ２´を中心とした円周上を移動する被係合片１６８を設け、両部材の偏心を利用して、入力部材１０６が一定量回転したときは、係合片１５８と被係合片１６８との係合を解除し出力部材１０８を停止する。【選択図】  図１
2020085235.tif 000002
【特許請求の範囲】
【請求項１】
互いに偏心した回転軸を有する入力部材及び出力部材と、内側に収容空間を有する固定のハウジングとを備え、
前記入力部材には、前記収容空間に収容される円板状の入力端板が固着され、かつ、前記出力部材には、前記収容空間に収容される板状の出力端板が固着され、
前記入力端板には、前記入力部材の回転軸に対して偏心した偏心軸を中心として搖動可能な伝達部材が取り付けられ、前記伝達部材の一端には係合片が設けられると共に、前記係合片を径方向外方に付勢する弾性手段が取り付けられ、
前記出力端板には、前記入力部材の回転軸を越えた先端部に、前記伝達部材の係合片に係合する被係合片が設けられ、
前記入力部材が一方向に回転すると、前記係合片が、前記被係合片との係合しながら前記入力部材の回転軸を中心とする円周上を移動すると共に、前記被係合片が前記出力部材の回転軸を中心とする円周上を移動し、前記入力部材が所定角度回転したときは、前記係合片と前記被係合片との係合が解除されて前記出力部材の回転が停止する、ことを特徴とする定範囲伝達装置。
【請求項２】
前記入力端板には、軸方向の厚さの薄い扇形状の肉薄部が形成され、前記伝達部材及び前記弾性手段が前記肉薄部に取り付けられる、請求項１に記載の定範囲伝達装置。
【請求項３】
前記弾性手段は一対のフック片を備えたコイルばねであって、
前記コイルばねは、その中心部が前記入力端板に固着された支持軸によって軸支され、前記一対のフック片の一方が前記入力端板に設けられた突出リブを押圧すると共に、他方が前記伝達部材に設けられた被押圧片を押圧する、請求項１又は２に記載の定範囲伝達装置。
【発明の詳細な説明】
【技術分野】
【０００１】
本発明は、入力部材の回転量にかかわらず、出力部材を所定の量だけ回転させる定範囲伝達装置に関する。
【背景技術】
【０００２】
上記のような定範囲伝達装置は、回転可能な入力部材及び出力部材を備え、例えばタイプライターの紙送り機構に使用される。定範囲伝達装置がタイプライターの紙送り機構に使用される場合、入力部材は回転可能な改行レバーに、出力部材は紙と密着してこれを送出するローラーに接続される。そして、使用者がタイプ中に改行をする際には、改行レバーを操作して入力部材を回転させることで出力部材に接続されたローラーが一定量だけ回転し、これにより紙が一定量だけ送出される。
【発明の概要】
【発明が解決しようとする課題】
【０００３】
上述した紙送り機構等に使用される定範囲伝達装置にあっては、通常、歯車機構等複雑な機構が用いられるため、部品点数が増えると共に製造工程が煩雑となり、製造コストが増大してしまう。また、定範囲伝達装置は、入力部材の回転軸と出力部材の回転軸とが同軸のものが多く、両方の回転軸が互いに偏心している場合には、回転軸を同軸とする装置が必要となる。
【０００４】
本発明は、上記事実に鑑みてなされたものであり、その主たる技術的課題は、入力部材と出力部材が偏心している伝達装置に適用可能な、簡単な構成の定範囲伝達装置を提供することである。
【課題を解決するための手段】
【０００５】
本発明者は、鋭意検討の結果、入力部材に固着した入力端板に、入力部材の回転軸を中心とした円周上を移動する係合片を設ける一方、出力部材に固着した出力端板には、出力部材の回転軸を中心とした円周上を移動する被係合片を設け、両部材の偏心を利用して、入力部材が一定量回転したときは、係合片と被係合片との係合を解除し出力部材を停止するようにして、上記主たる技術的課題を達成することができることを見出した。入力部材の係合片は搖動可能となっており、停止した出力部材及び入力部材を初期位置に戻すことができる。
【０００６】
即ち、本発明によれば、上記主たる技術的課題を達成する定範囲伝達装置として、
「互いに偏心した回転軸を有する入力部材及び出力部材と、内側に収容空間を有する固定のハウジングとを備え、
前記入力部材には、前記収容空間に収容される円板状の入力端板が固着され、かつ、前記出力部材には、前記収容空間に収容される板状の出力端板が固着され、
前記入力端板には、前記入力部材の回転軸に対して偏心した偏心軸を中心として搖動可能な伝達部材が取り付けられ、前記伝達部材の一端には係合片が設けられると共に、前記係合片を径方向外方に付勢する弾性手段が取り付けられ、
前記出力端板には、前記入力部材の回転軸を越えた先端部に、前記伝達部材の係合片に係合する被係合片が設けられ、
前記入力部材が一方向に回転すると、前記係合片が、前記被係合片との係合しながら前記入力部材の回転軸を中心とする円周上を移動すると共に、前記被係合片が前記出力部材の回転軸を中心とする円周上を移動し、前記入力部材が所定角度回転したときは、前記係合片と前記被係合片との係合が解除されて前記出力部材の回転が停止する」
ことを特徴とする定範囲伝達装置が提供される。
【０００７】
入力端板に伝達部材等を取り付ける構造としては、「前記入力端板に軸方向の厚さの薄い扇形状の薄肉部が形成され、前記伝達部材及び前記弾性手段が前記薄肉部に取り付けられる」ようにすることができる。
【０００８】
また、弾性手段等の構造としては、「前記弾性手段は一対のフック片を備えたコイルばねであって、前記コイルばねは、その中心部が前記入力端板に固着された支持軸によって軸支され、前記一対のフック片の一方が前記入力端板に設けられた突出リブを押圧すると共に、他方が前記伝達部材に設けられた被押圧片を押圧する」ようにすることが好ましい。
【発明の効果】
【０００９】
本発明の定範囲伝達装置においては、入力部材に固着した入力端板に搖動する伝達部材を設置して、この伝達部材の一端に係合片を設けると共に、出力部材に固着した出力端板には、係合片に係合する被係合片を設ける。入力部材が回転すると、係合片は、入力部材の回転軸を中心とする円周上を移動し、被係合片を押しながら出力部材を回転させる。このとき、被係合片は出力部材の回転軸を中心とする円周上を移動するが、両方の回転軸が偏心しているため、入力部材が所定角度まで回転したときは、被係合片と係合片との係合が解除されて出力部材の回転が停止し、その後は、入力部材が回転しても出力部材は回転しない。
つまり、本発明の定範囲伝達装置では、両方の回転軸の偏心を利用して、自動的に出力部材を一定量だけ回転させる作動を達成できる。前述のタイプライターの送り機構に適用する場合には、改行レバーと紙送り用のローラーの軸を同軸とする必要がなく、部品のアラインメントの自由度が向上する。
【００１０】
一定量の回転を反復して行わせるには、回転が停止した出力部材を初期位置に戻し、さらに、入力部材も初期位置に戻す必要がある。本発明の定範囲伝達装置では、係合片の設けられた伝達部材が搖動可能に取り付けられており、出力部材が初期位置にある状態で入力部材を戻すときは、伝達部材が出力部材の被係合片に当接して搖動する。そのため、出力部材が初期位置にある状態でも、入力部材を元の位置に戻すことが可能となる。
【図面の簡単な説明】
【００１１】
【図１】本発明に従って構成された定範囲伝達装置の好適実施形態を示す図。
【図２】図１に示す定範囲伝達装置のハウジングを単体で示す図。
【図３】図１に示す定範囲伝達装置の入力部材を単体で示す図。
【図４】図１に示す定範囲伝達装置の伝達部材を単体で示す図。
【図５】図１に示す定範囲伝達装置の出力部材を単体で示す図。
【図６−１】図１に示す定範囲伝達装置の作動を説明するための図。
【図６−２】図１に示す定範囲伝達装置の作動を説明するための図。
【図７】図１に示す定範囲伝達装置における弾性手段の変形例を示す図。
【００１２】
以下、本発明に従って構成された定範囲伝達装置の好適実施形態について、添付した図面を参照して、更に詳細に説明する。
【００１３】
図１には、本発明の定範囲伝達装置の全体構造が示されている。番号１０２で示される定範囲伝達装置は、固定されたハウジング１０４を備えており、ハウジング１０４の内側には、回転可能な入力部材１０６（回転軸ｏ１´）及び出力部材１０８（回転軸ｏ２´）が設けられている。図１（及び図６）では、容易に理解できるように、出力部材１０８には薄墨を付して示している。
【００１４】
図１と共に図２を参照して説明すると、ハウジング１０４は、略正方形の端板１１４と、端板１１４の周縁から軸方向に延びる筒壁１１６とを備えたカップ状部材であって、内部には断面円形の収容空間部１１８が規定されている。端板１１４にはその中央から偏心した位置に円形の貫通開口１２０が形成されている。このようなハウジング１０４の開放端面にはシールド板１３０がボルトの如き適宜の固定具によって固定され、収容空間部１１８がシールドされる。
【００１５】
図１と共に図３を参照して説明すると、入力部材１０６は、入力軸部１３２と、入力軸部１３２の先端に固着された入力端板１３４とを備えている。入力端板１３４は、基本的に円板形状であるが、その一部が削られて軸方向が薄い扇状の肉薄部が形成されており、かかる肉薄にせしめられた部分（これを番号１３５として示す）には、軸方向に延びる第一の支持軸１４０及び第二の支持軸１４２が設けられている。部分１３５には更に、軸方向に延びる支持片１３６及び突出リブ１４４も設けられている。図示の実施形態においては、肉薄の部分１３５の内周縁には、削り残した円弧形状の残留部１４５が存在し、支持片１３６及び突出リブ１４４は、共に残留部１４５の外周面から径方向外方に突出しており、断面は共に扇形状である。
【００１６】
入力端板１３４には、入力部材１０６の回転軸ｏ１´に対して偏心した偏心軸ｅｏ´を中心として搖動可能な伝達部材１４６と、伝達部材１４６を偏心軸ｅｏ´回りに搖動させてその一端を径方向外方に向かうように付勢する弾性手段１４８とが設置されている。図１と共に図４を参照して説明すると、伝達部材１４６は全体的にくの字形状であって、その屈曲点近傍の内側には貫通支持穴１６０が形成されている。そして、径方向外方に向かうように付勢される伝達部材１４６の一端には係合片１５８が規定されると共に、他端には、弾性手段１４８に押圧される被押圧片１６２が規定される。伝達部材１４６は、その貫通支持穴１６０が入力端板１３４に形成された第一の支持軸１４０に挿通されることで、入力部材１０６に取り付けられる。
【００１７】
図１に示すとおり、図示の実施形態においては、弾性手段１４８は一対のフック片１６４ａ及び１６４ｂを備えたコイルばね（捩りコイルばね）であって、これの中心部は入力端板１３４に固着された第二の支持軸１４２によって軸支されている。一方のフック片１６４ａは入力端板１３４に固着された突出リブ１４４を押圧すると共に、他方のフック片１６４ｂは伝達部材１４６に設けられた被押圧片１６２を押圧して、これを入力端板１３４に固着された支持片１３６に押し付ける。これにより、伝達部材１４６は、偏心軸ｅｏ´回りを搖動して係合片１５８が径方向外方に向かうように付勢される。
【００１８】
図１と共に図５を参照して説明すると、出力部材１０８は、出力軸部１６６と、出力軸部１６６の先端に固着された出力端板１６７とを備えている。出力端板１６７は所定程度の厚みを備えた、軸方向から見た形状がいわばしずく形状の部材であって、基端部（つまり、先細りした先端部でない方の端部）が出力軸部１６６に固着されている。図５に示すとおり、出力端板１６７の先端には軸方向に突出した被係合片１６８が固着されている。被係合片１６８の断面は外方に向かって広がる扇形状である。
ここで、図１のＢ−Ｂ断面図等から分かるように、出力端板１６７は、入力部材１０６の回転軸ｏ１´を含むように形成されており、被係合片１６８は、出力部材１０８の回転軸ｏ２´から回転軸ｏ１´を越えた方の先端に固着される。したがって、出力端板１６７の被係合片１６８が伝達部材１４６の係合片１５８と係合する係合点をＰとしたとき、出力部材１０８の回転軸ｏ２´からＰまでの距離が、入力部材１０６の回転軸ｏ１´からＰまでの距離よりも長いことになる（図６（ｄ）軌跡図参照）。
【００１９】
続いて、主に図１を参照して上記構成部品の組み合わせについて説明する。入力部材１０６と出力部材１０８とは、ハウジング１０４内にて相互に対向して配置され、入力部材１０６の回転軸ｏ１´と出力回転部材１０８の回転軸ｏ２´とは偏心して位置する。入力部材１０６の入力端板１３４及び出力部材１０８の出力端板１６７がハウジング１０４内に収容された状態にあっては、入力軸部１３２がシールド板１３０の中央に形成された開口を貫通してこれによって回転可能に軸支されると共に、出力軸部１６６が端板１１４の開口１２０を貫通してこれによって回転可能に軸支される。
ここで、入力部材１０６と出力部材１０８とが組み合わされる際には、図１のＡ−Ａ断面図に示すとおり、入力部材１０６は、これに配設された伝達部材１４６の係合片１５８が出力部材１０８の被係合片１６８よりも周方向の一方側（同図において時計方向側）に幾分離隔して位置するようにする。
【００２０】
次に、図６を参照して定範囲伝達装置１０２の作動について説明する。
まず、定範囲伝達装置１０２を初期状態とするには、図１のＡ−Ａ断面図に示すように組み立てられた定範囲伝達装置１０２の入力部材１０６を、同図の中央縦断面図の右方から見て反時計方向（一方向）に回転させる。これにより、入力部材１０６と伝達部材１４６とが一体となって回転し、伝達部材１４６の係合片１５８が出力部材１０８の被係合片１６８と係合して、図６（ａ）に示す初期状態となる。入力部材１０６及び出力部材１０８は、それぞれ初期位置に置かれる。
【００２１】
係合片１５８が被係合片１６８と係合した初期状態の後、更に入力部材１０６を反時計方向に回転させると、伝達部材１４６を介して被係合片１６８が押し動かされ、出力部材１０８と入力部材１０６とは連動しながら反時計方向に回転する。これにより、入力部材１０６の回転が出力部材１０８に伝達されるが、この回転伝達時には、伝達部材１４６の被押圧片１６２が支持片１３６によって支持されることにより、伝達部材１４６が被係合片１６８からの反力によって押されて偏心軸ｅｏ´の周りを時計方向に回転することが防止される。
【００２２】
係合片１５８が被係合片１６８と係合しながら入力部材１０６が回転すると、図６（ｄ）の軌跡図に示すとおり、伝達部材１４６の係合片１５８は、入力部材１０６の回転軸ｏ１´を中心とする円周上（細線）を移動する一方、出力端板１６７に固着の被係合片１６８は、出力部材１０８の回転軸ｏ２´を中心とする円周上（破線）を移動する。そのため、係合片１５８と被係合片１６８との係合点Ｐは、入力部材１０６の回転に伴って、回転軸ｏ２´を中心に回転する出力部材１０８の径方向内方に向けて移動することとなる。
そして、図６（ａ）に示す初期状態から所定角度まで回転すると、係合点Ｐが被係合片１６８の端部に達し、図６（ｂ）に示す状態となる。この時点おいて、係合片１５８と被係合片１６８との係合が解除され、入力部材１０６をこれ以上反時計方向に回転させても、入力部材１０６から出力部材１０８へ回転が伝達されることはない。つまり、入力部材１０６を所定量回転すると、出力部材１０８への回転の伝達が切断される。
【００２３】
入力部材１０６から出力部材１０８への回転の伝達が切断された後、つまり図６（ｂ）に示す状態を経過した後の時点では、出力部材１０８及び入力部材１０６を時計方向に回転して、図６（ａ）に示す初期状態に戻す。この際、出力部材１０８及び被係合片１６８は支障なく初期位置に戻すことができるが、入力部材１０８を初期位置に戻すには、その係合片１５８が、被係合片１６８の右側（図６（ａ）において）となる位置まで戻す必要があって、このときに係合片１５８が被係合片１６８と干渉する。
ここで、本発明では、伝達部材１４６が偏心軸ｅｏ´の回りに搖動可能であって、戻りの過程で係合片１５８が被係合片１６８に当接すると、伝達部材１４６が反時計方向に搖動して図６（ｃ）のＡ−Ａ断面図に示すような姿勢となり、伝達部材１４６が被係合片１６８を乗り越える。これによって、図６（ａ）に示す初期状態に復元され、係合片１５８は再び被係合片１６８と係合する。
【００２４】
以上、添付した図面を参照して本発明の定範囲伝達装置について詳述したが、本発明の定範囲伝達装置は図示の実施形態に限定されるものでなく、本発明の範囲内において種々の変形例が考えられる。例えば、出力部材の回転に対して復元力を付与する戻しばねを設置し、入力部材から出力部材への回転の伝達が切断されると同時に、出力部材が自動的に初期状態に戻るようにしてもよい。また、図７の変形例に示すとおり、伝達部材１４６を付勢する弾性手段１４８´´を、入力端板に固着されて軸方向に延出する支持軸１４２´´と、これの外周面から延出する薄肉状のフラップ片１６４ｂ´´とから構成し、フラップ片１６４ｂ´´の弾性力を利用して、伝達部材１４６の一端を径方向内方に付勢することができる。
【符号の説明】
【００２５】
１０２：定範囲伝達装置
１０４：ハウジング
１０６：入力部材
１０８：出力部材
１３４：入力端板
１４６：伝達部材
１４８：弾性手段
１５８：係合片
１６７：出力端板
１６８：被係合片
【図１】
2020085235.tif 000003
【図２】
2020085235.tif 000004
【図３】
2020085235.tif 000005
【図４】
2020085235.tif 000006
【図５】
2020085235.tif 000007
【図６−１】
2020085235.tif 000008
【図６−２】
2020085235.tif 000009
【図７】
2020085235.tif 000010